(57)【特許請求の範囲】
【請求項１】
第一の情報処理装置が備える第一の記録媒体に記録されたデータを該第一の記録媒体とは異なる第二の記録媒体に複写する際に、該第一の情報処理装置は該第一の記録媒体とも該第二の記録媒体とも異なる第三の記録媒体をアクセスし、該第一の記録媒体からの複写を許可する条件として媒体種別情報を該第三の記録媒体から読み出し、該第二の記録媒体が該媒体種別情報に合致する場合には複写処理を実行し、該第二の記録媒体が該媒体種別情報に合致しない場合には複写処理を抑止することを特徴とする情報管理方法。
【請求項２】
前記複写を許可する条件としてさらに複写処理対象となるデータを特定する情報を前記第三の記録媒体から読み出し、該複写処理対象となるデータを特定する情報に合致するデータを複写処理対象とすることを特徴とする請求項１に記載の情報管理方法。
【請求項３】
前記複写処理は、複写処理対象のデータを暗号化して前記第二の記録媒体に記録することを特徴とする請求項１に記載の情報管理方法。
【請求項４】
識別情報を持つ第二の情報処理装置において前記第二の記録媒体に記録されたデータを読み出して利用する際に、該第二の情報処理装置は前記第三の記録媒体をアクセスし、前記第三の記録媒体から前記第二の記録媒体にあるデータの利用を許可する情報として識別条件を読み出し、該識別情報が該識別条件に合致する場合にはデータの利用を許可し、該識別情報が該識別条件に合致しない場合にはデータの利用を抑止することを特徴とする請求項１に記載の情報管理方法。
【請求項５】
前記第二の記録媒体に記録されたデータは暗号化されており、該暗号化されたデータは前記第二の情報処理装置が備える第四の記録媒体に複写されるとともに、前記第二の情報処理装置が前記第四の記録媒体に記録された暗号化データを利用する際は前記暗号化データを復号化し、該復号化されたデータを利用した処理に基づいて加工されたデータを前記第四の記録媒体に対して書き戻す際は、該加工されたデータを暗号化して書き戻す処理を行うことを特徴とする請求項４に記載の情報管理方法。
【発明の詳細な説明】
【０００１】
【発明の属する技術分野】
本発明は重要で機密性の高いデータを組織内のパソコン等から記録媒体に複写する処理や、該記録媒体に複写されたデータを他の記録媒体に複写する処理を実施するに際して、不正なデータの流出を抑止し、またデータの処理の追跡監査を可能とする管理方法に関する。
【０００２】
【従来の技術】
組織が持つ重要なデータは、運用や規定により組織内で限定使用するよう定めることが一般的である。このようなデータを外部に持ち出す場合は、ユーザが意図してデータを暗号化し、また利用の際にはパスワード入力等でユーザ認証をした上でデータを復号化する。
【０００３】
このような運用において、組織外には秘密のデータをＥメール等の送信により不正な流出が図られた場合については、組織内（社内）ネットワーク上のメールサーバ等で監視を行うなどの方法によりこれを抑止する手段が実現されている。しかし、組織の内部の人間によりデータを複写した記録媒体が不正に持ち出された場合に、これを抑止することはできなかった。
【０００４】
【発明が解決しようとする課題】
本発明はこのような問題点に鑑みなされたものであって、データを記録媒体に複写してこれを持ち出すことによる、データの不正な流出を防止し、また記録媒体に記録された機密データの不正利用を抑止し、更に記録媒体に複写され、暗号化された後のデータの追跡監査を可能とする方法を提供することを目的とする。
【０００５】
【課題を解決するための手段】
上記の課題である、データの不正な流出を防止するために、本発明の情報管理方法は、第一の情報処理装置が備える第一の記録媒体に記録されたデータを該第一の記録媒体とは異なる第二の記録媒体に複写する際に、該第一の情報処理装置は該第一の記録媒体とも該第二の記録媒体とも異なる第三の記録媒体をアクセスし、該第一の記録媒体からの複写を許可する条件として媒体種別情報を該第三の記録媒体から読み出し、該第二の記録媒体が該媒体種別情報に合致する場合には複写処理を実行し、該第二の記録媒体が該媒体種別情報に合致しない場合には複写処理を抑止することを特徴とする。
【０００６】
この構成によれば、組織内の管理者がデータを第一の記録媒体から第二の記録媒体に複写することを許可する情報を第三の記録媒体に設定しておき、複写操作を許可する者に限り第三の記録媒体を貸し出すように運用し、第二の記録媒体が第三の記録媒体に記録された媒体種別情報と合致する場合にのみ複写処理を実行することが可能となるので、第三者による不正なデータ複写を抑止することができる。
【０００７】
この情報管理方法において、情報管理用として発行される前記第三の記録媒体には複写処理対象となるデータを特定する情報が記録されており、複写処理対象となるデータを特定する情報に合致するデータを複写処理対象とするよう構成することが望ましく、また前記複写処理は、複写処理対象のデータを暗号化して前記第二の記録媒体に記録するように構成すれば複写と同時に自動的にデータの暗号化がなされるので、記録媒体が第三者の手に渡っても不正なデータ利用を防止することができる。
【０００８】
さらに前記第二の記録媒体に記録されたデータの不正利用を防止するために、本発明の情報管理方法は、識別情報を持つ第二の情報処理装置において前記第二の記録媒体に記録されたデータを読み出して利用する際に、該第二の情報処理装置は前記第三の記録媒体をアクセスし、前記第三の記録媒体から前記第二の記録媒体にあるデータの利用を許可する情報として識別条件を読み出し、該識別情報が該識別条件に合致する場合にはデータの利用を許可し、該識別情報が該識別条件に合致しない場合にはデータの利用を抑止するよう構成することが望ましい。
【０００９】
この構成により、組織内の管理者が第二の記録媒体に記録されたデータを読み出して利用することを許可する情報を（管理用の）第三の記録媒体に設定しておき、データ利用を許可する者に限り第三の記録媒体を貸し出すよう運用することが可能となるので、第三者による不正なデータ複写を抑止することができる。
【００１０】
この情報管理方法において、前記第二の記録媒体に記録されたデータは暗号化されており、該暗号化されたデータは前記第二の情報処理装置が備える第四の記録媒体に複写されるとともに、前記第二の情報処理装置が前記第四の記録媒体に記録された暗号化データを利用する際は前記暗号化データを復号化し、該復号化されたデータを利用した処理に基づいて加工されたデータを前記第四の記録媒体に対して書き戻す際は、該加工されたデータを暗号化して書き戻す処理を行うよう構成することがデータの保護のために望ましい。
【００１１】
さらに本発明においては種々の態様が存在するが、この態様は以下説明する発明の実施態様および付記の記載により明らかにする。
【００１２】
【発明の実施の形態】
以下、図面を用いて本発明の実施の形態を説明する。
【００１３】
図１は本発明の一実施形態のシステムの全体的な構成および処理の全体的な概念を説明する図である。なお、図中の矢印は処理の流れおよびＩＣカード２および記録媒体４の（人為的な）移動を示すものであり、通信回線を介したデータ送信を示すものではない。
【００１４】
この図１に示すように、本実施形態では、まず管理サーバ１が、機密データを取り扱うセキュリティポリシーを記録した（管理用の記録媒体である）ＩＣカード２を発行する（手順１）。この管理サーバ１は社内（組織内）で責任を有する管理者により操作がなされるものである。
【００１５】
発行されたＩＣカード２は、上記の管理者が許可したデータ複写操作者に貸し出される。このデータ複写操作者は、社内( 組織内）パソコン３から、社外秘のデータを内蔵のハードディスクドライブ（ＨＤＤ）以外の記憶媒体４に複写する場合は、手順１にて発行されたＩＣカード２に記録されたセキュリティポリシーに基づいて、データの複写および暗号化がなされると共に、なされた処理の記録がＩＣカード２に記録される（手順２）。
【００１６】
なお、図１では記憶媒体４の例としてフロッピーディスクを図示しているが、これに限定されるものではなく、内蔵ＨＤＤ以外の外付けＨＤＤ、ＭＯ、ＺＩＰなどのリムーバブル記録媒体や、ネットワークドライブに対する複写処理に関しても、手順２で説明する処理の対象となる。
【００１７】
この記録媒体４に記録されたデータを、元のデータが記録されているパソコン３以外のパソコン５で利用する場合（例えば、社外に持ち出したモバイルパソコンや、出先にあるパソコン等）は、ＩＣカード２に記録されたセキュリティポリシーに基づいて、データの複写および利用を可能とすると共に、なされた処理の記録がＩＣカード２に記録される( 手順３）。なお、ＩＣカード２は手順２を行ったデータ複写操作者が持ち出して出先等で利用してもよく、またデータ複写操作者から（または一旦カードの返却を受けた管理者から）別のデータ利用者に貸し出すようにしても良い。
【００１８】
手順２、手順３による処理の記録がなされたＩＣカード２は、監査のために管理サーバ１側に返却され、管理者の操作により監査の処理が行われる（手順４）。
【００１９】
なお、手順３にて利用されたファイルを元のファイルが存在したパソコン３に書き戻す必要がある場合には、データ返却処理（手順５）が行われる。
【００２０】
管理サーバ１は、後述する手順１によりＩＣカードの貸出に係わる情報が記録され、また手順４によるＩＣカード返却に係わる情報が記録されるＩＣカード貸出・返却管理ファイル１１と、手順１にてＩＣカード２を発行する際に参照がなされるセキュリティポリシー情報ファイル１２と、手順４にてＩＣカードが返却された際にＩＣカードから監査情報を読み出してこれを記録する監査情報記録ファイル１３とを有する。また、ＩＣカード２に対するリード／ライトアクセスするためのカードスロットを備えている（図示略）。
【００２１】
パソコン３、５はそれぞれ記録媒体４に対するリード／ライトアクセスを行うためのドライブと、ＩＣカード２に対するリード／ライトアクセスを行うためのカードスロットとを備えている（図示略）。
【００２２】
なお、これらのドライブやカードスロットはサーバまたはパソコンに内蔵する構成では無く、外付けにより実現する構成をも含む。
【００２３】
また手順１、手順４を実行する処理プログラムは管理サーバに、手順２、５を実行する処理プログラムはパソコン３に、手順３を実行する処理プログラムはパソコン５に、それぞれインストールされている。
【００２４】
図２にＩＣカード２が記録される情報の属性を示す。図中、２０５のデータ処理記録は後述する手順２，３，５においてパソコンにより処理がなされた際にその処理（処理属性、処理を実施した装置のＩＤ，処理時間、など）の記録がなされる領域である。これ以外の各領域は, 手順１にて管理サーバより設定がなされる。
【００２５】
本実施態様でデータ管理を行うための媒体としてＩＣカードを用いるのは、ＩＣカードはセキュリティ媒体として非常に優れた特性があり、従来の電子媒体のような脆弱性は無く、内部に書かれたデータが安全に保護されるからである。
【００２６】
次に、図３ないし図７のフローチャートを用いて、図１に示したシステムにおける手順１ないし手順４の具体的な処理動作を説明する。
手順１）ＩＣカード発行処理（図３）
管理サーバ１は、まずサーバの操作者が正当な管理者であるかの認証を行う。認証が失敗したときは、その旨を監査情報ファイル１３に記録する。
【００２７】
操作者が正当な管理者であることが認証できた場合は、実施する処理の選択入力に応じて、ＩＣカード発行処理またはＩＣカード未返却検査処理を行う。
【００２８】
ＩＣカード発行処理が選択された場合は、まずセキュリティポリシー情報の設定がなされる。この設定処理は、対象データの重要度や、後述する手順２、３の処理を実施する対象者の属性（役職など）などの条件情報が管理者により入力がなされ、セキュリティポリシー情報ファイル１２を参照して、入力された条件情報に対応するデータ使用制限情報等の編集が行われる。このようにして図２に示す各種情報が設定され、ＩＣカード２に書き込まれる。
【００２９】
そして、発行されたＩＣカード２の貸出先、貸出日、返却予定日をＩＣカード貸出・返却管理ファイル１１に記録する。
【００３０】
ＩＣカード未返却検査処理が選択された場合は、ＩＣカード貸出・返却管理ファイル１１をアクセスして、返却予定日を過ぎているＩＣカード２の有無をチェックし、返却予定日を過ぎているものがあればその貸出先が読み出され、監査情報ファイル１３にセキュリティポリシー違反者として記録すると共に、必要に応じて警告の通知を行う。
手順２) データの複写と暗号化処理（図４）
保護すべきデータと、以下説明する処理を実行するソフトウェアがインストールされた社内パソコン３では、該パソコンの操作者がＩＣカード２を用いたデータ処理をなし得るデータ使用者か否かを認証する。この認証は、ＩＣカード２に書き込まれた暗証番号２０１との照合により行う。
【００３１】
認証が不成功であった場合、認証回数がＩＣカードに記録されている認証最大回数を越えているか否かを判定し、越えている場合はＩＣカードがロックされ、使用できなくする。越えていない場合は認証失敗の記録を行い、再び認証の受付を行う。なお、このような認証処理は一般的にＩＣカードそのものが有する機能を用いるものである。
【００３２】
認証がなされれば、ＩＣカード２に記録されている電子証明書２０２から、操作者がデータを複写する権限があるか否かを認証する。操作者に複写権限がない場合は警告メッセージを表示すると共に、警告情報をデータ処理記録領域２０５に記録する。
【００３３】
このチェックが終了した後、対象データの存在位置２０７にあるデータを複写しようとする操作がなされると、複写しようとするファイルが対象ファイル名２０９と一致するか、複写先のドライブにある媒体とＩＣカード２にある複写対象媒体種別２１０とが一致するかを調べる。（なお、ＩＣカードを使用しないで対象ファイルを複写しようとする場合、処理プログラムは複写処理自体を停止させる。）
これらの条件が一致しなければ、警告表示を行うと共に、警告記録をデータ処理領域２０５に記録する。
【００３４】
条件が一致すれば、複写元のデータを読み出し、ＩＣカードに記録されている（図示しない）暗号鍵を用いて暗号化処理を行い、複写先の媒体に書き込む。なお、暗号化／復号化プログラムはＩＣカード２側に持たせても良く、パソコンにインストールされる処理プログラムで実行するようにしても良い。
【００３５】
これらの処理が終了すると、複写の記録がデータ処理領域２０５に記録される。
手順３）暗号データの復号化／使用処理 (図５）
上述したように記録媒体に複写された暗号データを、複写元のパソコンとは別のパソコン５で復号化し、利用する処理について説明する。
【００３６】
本発明においてこのような記憶媒体を利用する場合は、ＩＣカード２をセットする必要がある。
【００３７】
まず、ＩＣカード２を用いたデータ処理をなし得るデータ使用者か否かを認証する。この認証は、ＩＣカード２に書き込まれた暗証番号２０１との照合により行う。  認証が不成功であった場合、認証回数がＩＣカードに記録されている認証最大回数を超えた場合はＩＣカードがロックされ、使用できなくする。越えていない場合はＩＣカード２に認証失敗記録を記録する。
【００３８】
認証がなされれば、ＩＣカード２に記録されている電子証明書２０２から、操作者がデータを複写する権限があるか否かを認証する。操作者に複写権限がない場合は警告メッセージを表示すると共に、警告情報をデータ処理記録領域２０５に記録する。
【００３９】
使用権限があれば、復号対象ＰＣ２０８を読み出し、当該パソコンが復号対象ＰＣであるか否かをチェックする。このチェックはインストールされる処理プログラムにユニークなＩＤを付与しておき、この一致を調べるようにしても良く、またパソコンやドライブのハードウェアに関するＩＤをチェックするようにしても良い。
【００４０】
処理対象のＰＣであることが確認されたら、ＩＣカードに記録されている復号最大回数２０３と、復号回数２０４のデータを読み出し、復号回数が復号最大回数に達しているかチェックする。また、復号日付（システムの現在の日付）と、復号有効期限２０６とを比較して、復号期限を越えていないかをチェックする。
【００４１】
これらのチェックで処理対象のＰＣでない場合、許可されている復号最大回数を越えている場合、復号期限を越えている場合は、復号処理は許可されず、警告メッセージを表示すると共に、警告記録をデータ処理記録領域２０５に書き込む。
【００４２】
許可されている復号最大回数には達しておらず、また復号期限以内である場合は、復号対象ルートフォルダ２１１を読み出して、該当するルートフォルダに記録媒体４から読み出したファイルを暗号化されたままの状態で複写する。
【００４３】
この複写された暗号化ファイルに対してアプリケーションソフトウェアが読み出しアクセスした場合、このアクセスを横取りして、復号化プログラムによるデータの復号化をおこない、アプリケーションソフトウェアで利用可能にする。また、アプリケーションソフトウェアが処理したデータをファイルに書き込むアクセスをした場合は、このアクセスを横取りして、暗号化プログラムによるデータ暗号化をおこなって、ファイルにデータを書き込む。なお、この復号化プログラムについても、暗号化プログラムと同様に、ＩＣカード２が実行しても、パソコンにインストールされて実行されるように構成しても良い。
【００４４】
復号処理がなされるとその記録がデータ処理記録領域２０５に記録され、また復号回数２０４を一歩進させる。
【００４５】
そしてパソコン５のアプリケーションソフトによりデータの使用がなされる。このとき、データの再保存、印刷を指示する入力がなされたら、先に読み出されたデータ使用権限をチェックして、パソコン５の操作者が再保存や印刷できる権限を有しているかをチェックし、有していれば再保存または印刷処理を実行する。
【００４６】
そしてアプリケーションソフトウェアによるデータ使用を終了する際には、復号されたデータがパソコン５のハードディスクに残らないように、作業ファイルを含めてその痕跡を完全に消去する。
手順４）ＩＣカード返却／監査処理フロー (図６）
管理サーバ１は、まずサーバの操作者が正当な管理者であるかの認証を行い、認証が失敗したときは、その旨を監査情報ファイル１３に記録する。
【００４７】
操作者が正当な管理者であることが認証できた場合は、カードスロットにセットされたＩＣカード２の操作の認証を行い、認証回数がＩＣカードで定められている認証最大回数を越えた場合はＩＣカードをロックを行う。
【００４８】
認証がなされれば、ＩＣカード２のデータ処理記録領域２０５に記録された処理記録を読み出して、ＩＣカード２に記録された内容に違反する行為（システムが警告を上げた行為）が記録されていないかをチェックし、違反行為があれば、予めシステムに設定された違反行為発見時の処理（例えば違反行為の一覧印刷）を行う。
【００４９】
また、データ処理記録領域２０５に記録された処理記録は監査情報ファイル 1３に複写がなされ、この処理が終了すると、ＩＣカード自体を初期化して、内部のデータを消去する。
手順５）データ返却時の処理（図７）
記録媒体４にて持ち出したファイルについて、社外などで処理をしたあとで、再び元のパソコン２に書き戻す場合の処理について説明する。
【００５０】
ＩＣカード２を用いたデータ処理をなし得るデータ使用者か否かを認証し、認証が不成功であった場合、そのたびに認証失敗記録がＩＣカード２のデータ処理記録領域２０５に書き込まれ、認証回数がＩＣカードに記録されている認証最大回数を超えた場合はＩＣカードがロックされ、使用できなくする。
【００５１】
認証がなされたら、電子証明書２０２を読み出して操作者のデータ複写権限をチェックする。複写権限が確認されたら、対象データ存在位置２０７を読み出して、複写先が（ＩＣカード２がセットされたパソコン２が）対象データの存在するパソコンであるかをチェックする。
【００５２】
これらのチェックに適合しなければ、警告メッセージを表示すると共に警告記録をデータ処理記録領域２０５に記録する。
【００５３】
チェックに適合した場合はファイルを復号して複写し、複写記録をデータ処理記録領域２０５に書き込む。
【００５４】
以上本実施態様により管理サーバ１またはパソコン３，５にてなされる各手順の処理について説明したが、図８を用いて、手順２，３，５の処理の概要を、ＩＣカードに記録されたデータの例（抜粋）を挙げて説明する。
【００５５】
図中、▲１▼から▲６▼で示した処理について説明する。なお、図中で○印をつけた部分はその処理が可能であり、×印をつけた部分はその処理が禁止されることを示している。また、「使用記録」「違反記録」については、それぞれＩＣカード２のデータ処理記録領域２０５に記録される。
▲１▼  対象データ２０７「ABC001.XLS」が保存されているパソコン３（ID:OFFICEPC)からデータを内蔵HDD 以外の媒体であるFPD ４に取り出す場合，ＩＣカード内の複写対象媒体種別２１０と一致しているかを検査する。複写対象媒体種別と一致しており，対象ファイル名が「＊．ＸＬＳ」に一致するため，データの取り出しは行われる。また、複写対象媒体種別２１０はFPD （フロッピーディスク）となっているので、複写対象先の媒体がFPD であれば、データの複写を行う。複写対象先がネットワークドライブなど、複写対象媒体種別２１０に規定されていない場合は、複写を禁止する。
【００５６】
なお、複写処理の際には暗号化されたデータがFPD に書き込まれる。
▲２▼  データ使用PC（ID:MyPC ）は，ＩＣカード２内の復号対象PC名２０８（MyPC) と一致するため，データは，復号対象ルートフォルダ２１１に記述されている「C:\MyData 」に暗号化されたまま複写される。
▲３▼  汎用アプリケーションが暗号化された対象ファイルを読み出す際に、データが復号される。
▲４▼  この例では復号データ再使用権限２１４には権限無しの情報がセットされているため，汎用アプリケーション内での復号化されているデータの再保存や印刷は禁止される。
【００５７】
なお、暗号化されたファイルを別のフォルダに複写することは可能であるが、暗号化されているので直接データを読むことはできず、また復号対象ルートフォルダ２１１以外のフォルダであるため、使用しているＩＣカード２で復号することもできない。
▲５▼  データを編集し，同一ファイル名または別名で復号対象フォルダに保存できる。このとき，データは再度暗号化される。
▲６▼  使用が終わった対象ファイルを元のPCに戻す場合，対象データの存在するPC（ID：OFFICEPC) であるかのチェックが行われ，ＯＫであれば復号され返却される。
【００５８】
以上の説明に関して更に以下の項（付記）を開示する。
（付記１）情報処理装置が備える第一の記録媒体に記録されたデータを該記録媒体とは異なる第二の記録媒体に複写する際に、該情報処理装置は第三の記録媒体をアクセスし、第一の記録媒体からの複写を許可する情報を該第三の記録媒体から読み出すことができれば複写処理を実行し、該複写許可情報を読み出すことができなければ複写処理を抑止することを特徴とする情報管理方法。
（付記２）前記第三の記録媒体には複写先の範囲を指定する複写先範囲情報が記録されており、前記第二の記録媒体が該複写先範囲情報と合致するときには複写処理を実行し、該媒体種別情報に合致しない場合は複写処理を抑止することを特徴とする付記１に記載の情報管理方法。
（付記３）前記複写処理は、複写処理対象のデータを暗号化して前記第二の記録媒体に記録することを特徴とする付記１または付記２に記載の情報管理方法。
（付記４）前記情報処理装置は、前記複写処理を実行したとき、および／又は前記複写処理を抑止したとき、実行した処理履歴を前記第三の記録媒体に記録することを特徴とする付記１乃至３に記載の情報管理方法。
（付記５）情報処理装置において第一の記録媒体に記録されたデータを読み出して利用する際に、該情報処理装置は第二の記録媒体をアクセスし、該第二の記録媒体から前記第一の記録媒体にあるデータの利用を許可する情報を読み出すことができればデータの利用を許可し、データ利用許可情報を読み出すことができなければデータの利用を抑止することを特徴とする情報管理方法。
（付記６）前記第一の記録媒体に記録されたデータは暗号化されており、該暗号化されたデータは前記情報処理装置が備える第三の記録媒体に複写されるとともに、前記情報処理装置が前記第三の記録媒体に記録された暗号化データを利用する際は前記暗号化データを復号化し、該復号化されたデータを利用した処理に基づいて加工されたデータを前記第三の記録媒体に対して書き戻す際は、該加工されたデータを暗号化して書き戻す処理を行うことを特徴とする付記５に記載の情報管理方法。
（付記７）前記第二の記録媒体には複写先の範囲を指定する複写先範囲情報が記録されており、前記情報処理装置は前記第三の記録媒体が該第二の記録媒体に記録された複写先範囲情報に合致するかを判定し、合致すれば複写を許可し、合致しなければ複写を抑止することを特徴とする付記６に記載の情報管理方法。
（付記８）前記第二の記録媒体にはデータを利用することができる情報処理装置および／またはソフトウェアを識別するＩＤ情報を有しており、前記情報処理装置は前記ＩＤ情報を読み出して当該情報処理装置および／又はソフトウェアがデータを利用可能であると判定すればデータの利用を許可し、利用可能でないと判定されればデータ利用を抑止することを特徴とする付記5 に記載の情報管理方法。
（付記９）前記第二の記録媒体にはデータ利用回数情報を記録する領域とデータ利用最大回数情報を記録する領域とを有し、前記情報処理装置はを第一の記録媒体のデータを利用するときには前記第二の記録媒体から前記データ利用回数情報と前記データ利用最大回数情報とを読み出して両者の比較を行い、データ利用回数がデータ利用最大回数を越えていない場合はデータ利用を許可すると共に前記データ利用回数情報を一歩進し、データ利用回数がデータ利用最大回数を越えている場合は前記情報処理装置によるデータ利用を抑止することを特徴とする付記５または付記６に記載の情報管理方法。
（付記１０）前記第二の記録媒体にはデータ利用の有効期限情報が記録されており、前記情報処理装置は前記第一の記録媒体に記録されたデータを利用するときに、前記第二の記録媒体から読み出した前記データ利用有効期限情報と該情報処理装置が有する現在のシステム日時情報と比較することにより現在がデータ利用有効期限内であるかを判定し、有効期限内であればデータ利用を許可し、有効期限を過ぎていると判定されたときはデータ利用を抑止することを特徴とする付記５または付記６に記載の情報管理方法。
（付記１１）前記第二の記録媒体には、前記第一の記録媒体のデータに対する特定の処理を許可する対象者の権限の情報が記録されており、
前記情報処理装置が前記特定の処理を実行する際には、前記権限の情報に基づいて当該情報処理装置の操作者の認証を行い、認証がなされれば前記特定の処理を実行し、認証に失敗した場合は前記特定の処理を抑止することを特徴とする付記５または６に記載の情報管理方法。
（付記１２）前記特定の処理は、前記第一の記録媒体のデータを印刷する処理であることを特徴とする付記１１に記載の情報管理方法。
（付記１３）前記第二の記録媒体には複写先の範囲を指定する複写先範囲情報が記録されており、前記情報処理装置は前記第三の記録媒体が該第二の記録媒体に記録された複写先範囲情報に合致するかを判定し、合致すれば複写を許可し、合致しなければ当該情報処理装置の操作者の権限の認証をおこなって認証がなされたときにみ前記複写先範囲情報に合致しない複写先への複写を許可することを特徴とする付記5 または付記６に記載の情報管理方法。
（付記１４）前記情報処理装置は、前記データを利用する処理を実行したとき、および／又は前記データを利用する処理を抑止したときに、実行した処理履歴を前記第二の記録媒体に記録することを特徴とする付記５乃至１３に記載の情報管理方法。
（付記１５）第一の情報処理装置が、第二の情報処理装置により読み出されたときに該第二の情報処理装置に備えられた第一の記録媒体が記憶するデータを第二の記録媒体に複写することを許可する情報を第三の記録媒体に設定することを特徴とする情報管理方法。
（付記１６）前記第一の情報処理装置は、前記第三の記録媒体に情報を設定したときに該設定処理の履歴を該第一の情報処理装置がそなえる第四の記録媒体に記録することを特徴とする付記１５に記載の情報管理方法。
（付記１７）前記第三の記録媒体には前記第二の情報処理装置が実行した処理の履歴が記録されるものであり、前記第一の情報処理装置は前記第三の記録媒体に記録された該処理履歴を読み出して該第一の情報処理装置が備える第四の記録媒体に記録することを特徴とする付記１５に記載の情報管理方法。
（付記１８）第一の情報処理装置が、第二の情報処理装置により読み出されたときに第一の記録媒体に記録されたデータを該第二の情報処理装置にて利用することを許可する情報を第二の記録媒体に設定することを特徴とする情報管理方法。
（付記１９）前記第一の情報処理装置は、前記第二の情報処理装置が前記第一の記録媒体に記録されたデータの利用を許可する回数を前記第二の記録媒体に設定することを特徴とする付記１８に記載の情報管理方法。
（付記２０）前記第一の情報処理装置は、前記第二の情報処理装置が前記第一の記録媒体に記録されたデータの利用を許可する有効期限の情報を前記第二の記録媒体に設定することを特徴とする付記１８に記載の情報管理方法。
（付記２１）前記第一の情報処理装置は、前記第二の記録媒体に情報を設定したときに該設定処理の履歴を該第一の情報処理装置が備える第三の記録媒体に記録することを特徴とする付記１８ないし付記２０に記載の情報管理方法。
（付記２２）前記第二の記録媒体には前記第二の情報処理装置が実行した処理の履歴が記録されるものであり、前記第一の情報処理装置は前記第二の記録媒体に記録された該処理履歴を読み出して該第一の情報処理装置が備える第三の記録媒体に記録することを特徴とする付記１８ないし付記２０に記載の情報管理方法。
（付記２３）第一の情報処理装置は、第二の情報処理装置が備える第一の記録媒体に記録されたデータを第二の記録媒体に複写することを許可する情報と、および第三の情報処理装置が該第二の記録媒体に複写されたデータを利用することを許可する情報とを第三の記録媒体に設定し、
前記第二の情報処理装置は、前記第三の記録媒体から前記複写許可情報を読み出すことができた場合に前記第一の記録媒体から前記第二の記録媒体にデータの複写を行い、
前記第三の情報処理装置は、前記第三の記録媒体から前記データ利用許可情報を読み出すことができた場合に前記第二の記録媒体に記録されたデータの利用を可能とすることを特徴とする情報管理方法。
（付記２４）第一の情報処理装置が備える第一の記録媒体に記録されたデータを該記録媒体とは異なる第二の記録媒体に複写し、
第二の情報処理装置が前記第二の記録媒体に記録されたデータを処理して、書き替えたデータを該第二の記録媒体に書き戻し、
該第二の記録媒体に書き戻されたデータを前記第一の情報処理装置が備える第一の記録媒体に書き戻す処理を実行する際に、前記第一の情報処理装置は第三の記録媒体より元データの存在する情報処理装置の識別情報を読み出して、第一の情報処理装置であることが識別されればデータの書き戻しを許可し、識別できない場合／または識別情報を読み出すことができない場合にはデータの書き戻しを抑止することを特徴とする情報管理方法。
（付記２５）情報処理装置が備える第一の記録媒体に記録されたデータを該記録媒体とは異なる第二の記録媒体に複写する指示入力がなされた際に、該情報処理装置は第三の記録媒体をアクセスし、第一の記録媒体からの複写を許可する情報を該第三の記録媒体から読み出すことができれば複写処理を実行し、該複写許可情報を読み出すことができなければ複写処理を抑止する処理を該情報処理装置に実行させるための情報管理プログラム。
（付記２６）情報処理装置において第一の記録媒体に記録されたデータを読み出して利用する際に、該情報処理装置は第二の記録媒体をアクセスし、該第二の記録媒体から前記第一の記録媒体にあるデータの利用を許可する情報を読み出すことができればデータの利用を許可し、データ利用許可情報を読み出すことができなければデータの利用を抑止する処理を該情報処理装置に実行させるための情報管理プログラム。
（付記２７）第一の情報処理装置が、第二の情報処理装置により読み出されたときに該第二の情報処理装置に備えられた第一の記録媒体が記憶するデータを第二の記録媒体に複写することを許可する情報を第三の記録媒体に設定する処理を該第一の情報処理装置に実行させるための情報管理プログラム。
（付記２８）第一の情報処理装置が、第二の情報処理装置により読み出されたときに第一の記録媒体に記録されたデータを該第二の情報処理装置にて利用することを許可する情報を第二の記録媒体に設定する処理を該第一の情報処理装置に実行させるための情報管理プログラム。
【００５９】
なお上記の項の開示においては、複数の記録媒体または情報処理装置を区別するために「第一」、「第二」などの呼称を用いているが、この呼称により特定される記録媒体または情報管理装置と、上記実施態様における記録媒体との対応関係は、独立した項ごとに異なるものであることに留意されたい。（例えば上記実施態様における管理用のＩＣカードは、付記１では「第三の記録媒体」に対応するものであり、付記５では「第二の記録媒体」に該当する。）
【００６０】
【発明の効果】
以上説明したように、本発明の情報管理方法では、組織外秘密のデータを組織外に持ち出すために記録媒体に複写しようとする場合に、該記録媒体とは異なる、データの複写を許可する情報が記録された記録媒体（ＩＣカード等）を必要とするので、この複写許可情報を有する記録媒体を管理する運用により、データの不正な持ち出しを流出を防止することができる。
【００６１】
また、記録媒体からのデータを利用する際にも該記録媒体と異なる、データの利用を許可する情報が記録された記録媒体を必要とするので、同様にこの記録媒体を管理する運用により、データの不正な利用や複写を防止することができる。
【００６２】
更にデータの複写や利用を実施した場合や不正などにより実施が失敗した場合は、その履歴の記録がなされるので、当該データの利用や悪用（未遂) 等の追跡監査が可能となる。
【図面の簡単な説明】
【図１】本発明の全体構成および処理の全体的な概念を説明する図である。
【図２】本発明の一実施形態のＩＣカードに記録されるデータを示す図である。
【図３】本発明の一実施形態のＩＣカード発行処理( 手順１）を示すフローチャートである。
【図４】本発明の一実施形態のデータの複写と暗号化処理（手順２）を示すフローチャートである。
【図５】本発明の一実施形態の、暗号化データを復号して使用する処理（手順３）を示すフローチャートである。
【図６】本発明の一実施形態のＩＣカード返却／監査処理を示す（手順４）フローチャートである。
【図７】本発明の一実施形態のデータ返却処理を示す（手順５）フローチャートである。
【図８】本発明の手順２、３、５の処理の概要を説明する図である。
【符号の説明】
１  管理サーバ
１１  ＩＣカード貸出・返却管理ファイル
１２  セキュリティポリシー情報ファイル
１３  監査情報ファイル
２  ＩＣカード
３  パソコン
４  可換記録媒体
５  パソコン
【図１】
0003849465.tif 000002
【図２】
0003849465.tif 000003
【図３】
0003849465.tif 000004
【図４】
0003849465.tif 000005
【図５】
0003849465.tif 000006
【図６】
0003849465.tif 000007
【図７】
0003849465.tif 000008
【図８】
0003849465.tif 000009